(57)【要約】【課題】  拡大表示したライブビュー画像の視認性を改善することを目的とする。【解決手段】  複数のレンズからなる撮像光学系と、前記撮像光学系により結像された被写体像を撮像する撮像素子と、前記撮像素子から出力される画像信号に基づいた画像を表示する表示部と、振動を検出したときに、該振動に対する検出信号を出力する振動検出部と、前記複数のレンズのいずれかのレンズ、又は前記撮像素子の少なくとも一方を前記撮像光学系の光軸に直交する方向に移動させる光学ブレ補正を前記振動検出部により検出された検出信号の信号成分に基づいて実行する光学ブレ補正部と、前記撮像素子から出力される画像信号に対するブレ補正を行う電子ブレ補正を前記光学ブレ補正が実行されたときに得られる画像信号に対して実行することで、前記検出信号の信号成分のうち、前記光学ブレ補正時に残留する信号成分を補正する電子ブレ補正部とを備える撮像装置。【選択図】      図１
2011004121.tif 000002
【特許請求の範囲】
【請求項１】
複数のレンズからなる撮像光学系と、
前記撮像光学系により結像された被写体像を撮像する撮像素子と、
前記撮像素子から出力される画像信号に基づいた画像を表示する表示部と、
振動を検出したときに、該振動に対する検出信号を出力する振動検出部と、
前記複数のレンズのいずれかのレンズ、又は前記撮像素子の少なくとも一方を前記撮像光学系の光軸に直交する方向に移動させる光学ブレ補正を前記振動検出部により検出された検出信号の信号成分に基づいて実行する光学ブレ補正部と、
前記撮像素子から出力される画像信号に対するブレ補正を行う電子ブレ補正を前記光学ブレ補正が実行されたときに得られる画像信号に対して実行することで、前記検出信号の信号成分のうち、前記光学ブレ補正時に残留する信号成分を補正する電子ブレ補正部と
を備えることを特徴とする撮像装置。
【請求項２】
請求項１に記載の撮像装置において、
前記表示部に表示された画像に対する拡大表示倍率を指示する指示部と、
前記撮像光学系の焦点調節時に、前記指示部により指示された前記拡大表示倍率に基づいて、該焦点調節時に設定される基準領域を拡大表示する表示制御部とをさらに備えている
ことを特徴とする撮像装置。
【請求項３】
請求項２に記載の撮像装置において、
前記複数のレンズの一部を前記撮像光学系の光軸方向に移動させることで、前記撮像光学系の焦点調節を行うことが可能な操作部を備え、
前記表示制御部は、前記操作部の操作による前記撮像光学系の焦点調節時に、前記基準領域を拡大表示する
ことを特徴とする撮像装置。
【請求項４】
請求項１から請求項３のいずれか１項に記載の撮像装置において、
前記振動検出部から出力される検出信号の信号成分のうち、前記光学ブレ補正部にて用いる信号成分を抽出するフィルタ部をさらに備えている
ことを特徴とする撮像装置。
【請求項５】
請求項４に記載の撮像装置において、
前記フィルタ部において抽出される信号成分のピークは、前記光学ブレ補正部における光学ブレ補正における補正能力が高い周波数となる
ことを特徴とする撮像装置。
【請求項６】
請求項４に記載の撮像装置において、
前記フィルタ部において抽出される信号成分を、撮像条件に基づいて設定することで、前記光学ブレ補正に係る寄与率を変更する
ことを特徴とする撮像装置。
【発明の詳細な説明】
【技術分野】
【０００１】
本発明は、画像を取得する撮像装置に関する。
【背景技術】
【０００２】
従来から、電子ファインダーや液晶ディスプレイの表示解像度は合焦状態を確認するのに不十分なため、マニュアルフォーカス時にはライブビュー画像中のフォーカスエリアを中心として拡大表示する撮像装置が知られている（例えば、特許文献１など）。
【先行技術文献】
【特許文献】
【０００３】
【特許文献１】特開２００８−２１１６３０号公報
【発明の概要】
【発明が解決しようとする課題】
【０００４】
しかし、拡大倍率が高い場合や焦点距離が長い場合、電子ファインダーや液晶ディスプレイの表示は手ブレによる画像のブレが大きくなる。そのため、表示領域内に被写体を捉えるのが難しく、合焦状態の確認が困難となる。
【０００５】
そこで、本発明の撮像装置は、拡大表示したライブビュー画像の視認性を改善することを目的とする。
【課題を解決するための手段】
【０００６】
本発明の撮像装置は、複数のレンズからなる撮像光学系と、前記撮像光学系により結像された被写体像を撮像する撮像素子と、前記撮像素子から出力される画像信号に基づいた画像を表示する表示部と、振動を検出したときに、該振動に対する検出信号を出力する振動検出部と、前記複数のレンズのいずれかのレンズ、又は前記撮像素子の少なくとも一方を前記撮像光学系の光軸に直交する方向に移動させる光学ブレ補正を前記振動検出部により検出された検出信号の信号成分に基づいて実行する光学ブレ補正部と、前記撮像素子から出力される画像信号に対するブレ補正を行う電子ブレ補正を前記光学ブレ補正が実行されたときに得られる画像信号に対して実行することで、前記検出信号の信号成分のうち、前記光学ブレ補正時に残留する信号成分を補正する電子ブレ補正部とを備える。
なお、前記表示部に表示された画像に対する拡大表示倍率を指示する指示部と、前記撮像光学系の焦点調節時に、前記指示部により指示された前記拡大表示倍率に基づいて、該焦点調節時に設定される基準領域を拡大表示する表示制御部とをさらに備えていても良い。
また、前記複数のレンズの一部を前記撮像光学系の光軸方向に移動させることで、前記撮像光学系の焦点調節を行うことが可能な操作部を備え、前記表示制御部は、前記操作部の操作による前記撮像光学系の焦点調節時に、前記基準領域を拡大表示しても良い。
また、前記振動検出部から出力される検出信号の信号成分のうち、前記光学ブレ補正部にて用いる信号成分を抽出するフィルタ部をさらに備えていても良い。
また、前記フィルタ部において抽出される信号成分のピークは、前記光学ブレ補正部における光学ブレ補正における補正能力が高い周波数となっても良い。
また、前記フィルタ部において抽出される信号成分を、撮像条件に基づいて設定することで、前記光学ブレ補正に係る寄与率を変更しても良い。
【発明の効果】
【０００７】
本発明の撮像装置によれば、拡大表示したライブビュー画像の視認性を改善することができる。
【図面の簡単な説明】
【０００８】
【図１】本発明の実施形態における撮像装置１の構成を示すブロック図である。
【図２】光学ブレ補正部９及び電子ブレ補正部１８の構成を示すブロック図である。
【図３】撮像装置１におけるマニュアルフォーカス時の動作を示すフローチャートである。
【図４】領域Ｅの移動処理と表示部１２に表示するライブビュー画像との例を示す図である。
【図５】領域Ｅの移動処理と表示部１２に表示するライブビュー画像との例を示す図である。
【発明を実施するための形態】
【０００９】
以下、図面を用いて本発明の実施形態について説明する。なお、本実施形態では、本発明の画像処理装置の一例として、コンパクトタイプの撮像装置を用いて説明する。図１は、本発明の実施形態における撮像装置１の構成を示すブロック図である。
【００１０】
図１に示すように、撮像装置１は、撮像光学系２、ブレ補正レンズ３、撮像素子４、Ａ／Ｄ変換部５、バッファメモリ６、画像処理部７、角速度センサ８、光学ブレ補正部９、制御部１０、ＴＧ１１、表示部１２、メモリ１３、操作部１４、記録Ｉ／Ｆ部１５、記録媒体１６、バス１７を備える。なお、撮像装置１は、操作部１４の操作により撮像光学系２の焦点調節を行うマニュアルフォーカスモードを備え、ライブビュー画像中のフォーカスエリアを中心とする所定の領域を拡大表示する。
【００１１】
撮像光学系２は、撮像素子４の撮像面に被写体像を結像する。なお、撮像光学系２は、ズームレンズやフォーカスレンズ等の複数のレンズから構成されている。撮像素子４は、撮像光学系２を通過した被写体光を光電変換し、Ｒ、Ｇ、Ｂの各色に対応するアナログ画像信号を出力する。撮像素子４は、撮像待機時、所定間隔ごとに間引き読み出しを行い、ライブビュー画像を取得する。その後、撮像素子４は、後述するレリーズ釦２０が全押しされると本画像を取得する。
【００１２】
撮像素子４から出力される画像信号は、Ａ／Ｄ変換部５に入力される。Ａ／Ｄ変換部５は、撮像素子４から出力されるアナログの画像信号をＡ／Ｄ変換し、デジタルの画像信号に変更する。なお、このデジタルの画像信号は、１コマにまとめられ、画像データとしてバッファメモリ６に記録される。バッファメモリ６は、画像処理部７による画像処理の前工程や後工程で画像データを一時的に記録する。
【００１３】
画像処理部７は、バッファメモリ６に記録された画像データに対して画像処理を施す。なお、この画像処理としては、周知のホワイトバランス調整、色補間、階調変換処理、輪郭強調処理等が挙げられる。また、画像処理部７は、ＪＰＥＧ（Joint Photographic Experts Group）形式等で圧縮する処理や、圧縮された上記のデータを伸長復元する処理をも実行する。また、画像処理部７は、ライブビュー画像を拡大する。角速度センサ８は、撮像装置１に生じた手ブレを角速度として検出する。光学ブレ補正部９は、角速度センサ８で検出された角速度に基づいて、ブレ補正レンズ３を移動させ、光学ブレ補正を実行する。光学ブレ補正部９の詳細は、後述する。
【００１４】
制御部１０は、所定のシーケンスプログラムにしたがって、撮像装置１の統括的な制御を行う。また、制御部１０は、マニュアルフォーカスモード時に取得したライブビュー画像において、フォーカス状態を確認するための所定の領域（以下、領域Ｅと称する）を設定する。領域Ｅの設定については、後述する。また、制御部１０は、電子ブレ補正部１８、露出演算部１９等の機能を有している。電子ブレ補正部１８は、光学ブレ補正部９により取り除けなかった手ブレを取り除く。電子ブレ補正部１８の詳細は、後述する。露出演算部１９は、例えば、シャッタースピード、絞り値、感度などを算出する。
【００１５】
ＴＧ（タイミングジェネレータ）１１は、撮像素子４に出力パルスを供給する。表示部１２は、制御部１０の制御により各種の画像を表示する。表示部１２に表示される各種の画像は、ライブビュー画像、拡大されたライブビュー画像、本画像、後述する記録媒体１６に記録された画像、メニュー画像等を含む。メモリ１３は、ファームウェアなどを記録している。操作部１４は、レリーズ釦２０、十字キー２１等を有する。レリーズ釦２０は、撮像時に操作される。十字キー２１は、上記のメニュー画像等や、マニュアルフォーカスモードにおける焦点調節時に操作される。なお、レリーズ釦２０及び十字キー２１の状態は制御部１０により検知され、検知された釦やキーの状態に基づいたシーケンスが実行される。
【００１６】
記録Ｉ／Ｆ部１５は、記録媒体１６を接続するためのコネクタを備えている。この記録Ｉ／Ｆ部１５と記録媒体１６とが接続されることにより、記録媒体１６に対してデータの書き込み／読み出しを実行する。バス１７は、バッファメモリ６、画像処理部７、制御部１０、表示部１２、記録Ｉ／Ｆ部１５を相互に接続することにより、データや信号の出入力を実行する。
【００１７】
図２は、光学ブレ補正部９及び電子ブレ補正部１８の構成を示すブロック図である。図２に示すように、光学ブレ補正部９は、目標位置算出部２３、制御演算部２４等の機能を備える。電子ブレ補正部１８は、抑制量演算部２７、ハイパスフィルタ（ＨＰＦ）２８、移動量算出部２９、ローパスフィルタ（ＬＰＦ）３０等の機能を備える。なお、フィルタ２２、ハイパスフィルタ２８、ローパスフィルタ３０は、ＦＩＲ（Finite Impulse Response）フィルタにより構成される。また、図３は、ライブビュー画像のｘｙ軸方向のｙ軸方向のみについて示した図であり、実際には、ｘｙ軸方向それぞれに適用する。
【００１８】
角速度センサ８は、検出した角速度ｗ（ｋ）[deg/sec]をフィルタ２２に出力する。フィルタ２２は、下式に従って、光学ブレ補正部９による補正量を角速度ｗ’’（ｋ）として算出する。
【００１９】
【数１】
2011004121.tif 000003
【００２０】
なお、ｆ（ｋ）[mm]は焦点距離、ｄ（ｋ）[mm]は被写体距離、ＡＶ（ｋ）は絞り値、ＴＶ（ｋ）はシャッタースピード、ＳＶ（ｋ）は感度である。また、ｇ１（ｎ）はフィルタ２２の係数であり、撮像状況に応じて自動的に変化する。
【００２１】
目標位置算出部２３は、角速度ｗ’’（ｋ）、焦点距離ｆ（ｋ）、被写体距離ｄ（ｋ）に基づいて、ブレ補正レンズ３の目標位置を算出する。この目標位置は、ｙ軸方向に生じる手ブレを打ち消すための位置である。制御演算部２４は、目標位置算出部２３により算出された目標位置と、変位センサ２６により算出されたブレ補正レンズ３の基準位置からのズレとに基づいて、ブレ補正レンズ３の最終的な目標位置を算出する。ブレ補正レンズ駆動部２５は、ブレ補正レンズ３を最終的な目標位置に移動させる。その後、変位センサ２６は、ブレ補正レンズ３の基準位置からのズレｙ（ｋ）[mm]を算出する。このｙ（ｋ）は、制御演算部２４にフィードバックされるとともに、抑制量演算部２７に出力される。
抑制量演算部２７は、下式に従って、光学ブレ補正部９による補正量を抑制量ｃ（ｋ）[deg/sec]として算出する。
【００２２】
ｃ（ｋ）＝Ｃｆ（ｆ（ｋ）,ｄ（ｋ））・（ｙ（ｋ）−ｙ（ｋ−１））
ここで、Ｃｆ（ｆ，ｄ）は、焦点距離ｆ（ｋ）と被写体距離ｄ（ｋ）を変数に取る関数で、ブレ補正レンズ３の１制御周期中の移動量ｙ（ｋ）から抑制量ｃ（ｋ）を求めるための係数を示す。
【００２３】
次に、電子ブレ補正部１８は、光学ブレ補正部９で取り除けなかった手ブレを角速度ｗr（ｋ）として算出する。
【００２４】
ｗr（ｋ）＝ｗ（ｋ）−ｃ（ｋ）
電子ブレ補正部１８は、フレーミング動作の成分を取り除くために、角速度ｗr（ｋ）をハイパスフィルタ２８に通過させる。ハイパスフィルタ２８を通過した後の角速度ｗ’r（ｋ）は、次式で表される。
【００２５】
【数２】
2011004121.tif 000004
【００２６】
移動量算出部２９は、像面上の領域Ｅの移動量ｕ’（ｋ）[mm]を算出する。
【００２７】
ｕ’（ｋ）＝Ｃｕ（ｆ（ｋ）,ｄ（ｋ））・ｗ’r（ｋ）
ここで、Ｃｕ（ｆ,ｄ）は、焦点距離ｆ（ｋ）と被写体距離ｄ（ｋ）を変数に取る関数で、角速度ｗ’r（ｋ）を１制御周期中の領域Ｅの移動量ｕ’（ｋ）を求めるための係数を表す。
【００２８】
電子ブレ補正部１８は、像面上の領域Ｅの移動量ｕ’（ｋ）が小刻みに変動しないように、ローパスフィルタ３０に通過させる。ローパスフィルタ３０を通過した後の移動量ｕ’’（ｋ）[mm]は、次式で表される。
【００２９】
【数３】
2011004121.tif 000005
【００３０】
図３は、撮像装置１におけるマニュアルフォーカス時の動作を示すフローチャートである。以下、図４及び図５を参照して説明する。
【００３１】
ステップＳ１０１は、ライブビュー画像を表示する処理である。
【００３２】
ステップＳ１０２は、手ブレを検出する処理である。角速度センサ８は、角速度を検出する。
【００３３】
ステップＳ１０３は、光学ブレ補正を行う処理である。光学ブレ補正部９は、ステップＳ１０２で検出した角速度に基づいて、光学ブレ補正を行う。
【００３４】
ステップＳ１０４は、マニュアルフォーカスモードが選択されたか否かを判定する処理である。マニュアルフォーカスモードが選択された場合（ステップＳ１０４の判定がＹＥＳとなる場合）には、フォーカスエリア及び拡大表示倍率の設定を受け付け、ステップＳ１０５に進む。例えば、図４に示すように、表示部１２は、フォーカスエリアがライブビュー画像１０１の中央にあることを示すマークＭをライブビュー画像１０１の中央に重畳表示する。このマークＭの位置は、十字キー２１を介したユーザの指定により変更可能である。この状態で、制御部１０は、ユーザから十字キー２１を介して、拡大表示倍率の設定を受け付ける。例えば、制御部１０は、２倍の拡大表示倍率が設定された場合、フォーカスエリアを中心に、ライブビュー画像１０２の半分の大きさとなる領域Ｅ（０）を設定する。一方、マニュアルフォーカスモードが選択されていない場合（ステップＳ１０４の判定がＮＯとなる場合）には、ステップＳ１０１に戻る。
【００３５】
ステップＳ１０５は、領域Ｅを切り出して拡大する処理である。画像処理部７は、ライブビュー画像１０２から領域Ｅ（０）を切り出して、ライブビュー画像１０２の大きさまで拡大し、ライブビュー画像２０２を生成する。
【００３６】
ステップＳ１０６は、表示する処理である。表示部１２は、ステップＳ１０４で生成されたライブビュー画像２０２を表示する。
【００３７】
ステップＳ１０７は、移動量を算出する処理である。電子ブレ補正部１８は、ライブビュー画像上における領域Ｅの移動量を算出する。図４に示すように、拡大表示開始後１フレーム目のライブビュー画像１０３は、手ブレによって撮像範囲が移動している。そこで、電子ブレ補正部１８は、手ブレを補正するように領域Ｅ（１）を移動させる。ｕ（１）は、ライブビュー画像１０３上の領域Ｅ（１）の移動量を示す。
【００３８】
ステップＳ１０８は、領域Ｅを変更する処理である。制御部１０は、ステップＳ１０７で算出した移動量に基づいて、領域Ｅを変更する。
【００３９】
ステップＳ１０９は、変更後の領域Ｅがライブビュー画像の範囲内であるか否かを判定する処理である。ステップＳ１０８で変更した領域Ｅがライブビュー画像の範囲内である場合（ステップＳ１０９の判定がＹＥＳとなる場合）には、ステップＳ１１０に進む。一方、ステップＳ１０８で変更した領域Ｅがライブビュー画像の範囲内でない場合（ステップＳ１０９の判定がＮＯとなる場合）には、ステップＳ１１２に進む。
【００４０】
ステップＳ１１０は、変更後の領域Ｅを切り出して拡大する処理である。例えば、画像処理部６は、ライブビュー画像１０３から領域Ｅ（１）を切り出して、ライブビュー画像１０３の大きさまで拡大し、ライブビュー画像２０３を生成する。
【００４１】
ステップＳ１１１は、表示する処理である。表示部１２は、ステップＳ１１０で生成されたライブビュー画像２０３を表示する。これにより、フォーカスエリアを追従して拡大表示するため、ユーザはフォーカス状態を容易に確認することができる。
【００４２】
ステップＳ１１２は、ステップＳ１０９でライブビュー画像の範囲内でないと判定された、変更後の領域Ｅを切り出して拡大する処理である。例えば、図４に示すように、ｋフレーム目のライブビュー画像１０４における領域Ｅ（ｋ）は、ライブビュー画像から外れた領域を含んでいる。この場合、画像処理部７は、領域Ｅ（ｋ）のうち、ライブビュー画像１０４の範囲内の領域を切り出すとともに、ライブビュー画像１０４から外れている領域を黒色の領域に置き換える。そして、画像処理部７は、この領域Ｅ（ｋ）を拡大し、ライブビュー画像２０４を生成する。
【００４３】
ステップＳ１１３は、表示する処理である。表示部１２は、ステップＳ１１２で生成されたライブビュー画像２０４を表示する。これにより、ライブビュー画像１０４から外れた領域は、黒色の領域で表示されるため、領域Ｅ（ｋ）がライブビュー画像１０４の端まで移動したことをユーザに知らせることができる。
【００４４】
ステップＳ１１４は、領域Ｅの移動を制限する処理である。電子ブレ補正部１８は、より外れようとする方向への領域Ｅの移動を制限する。図４の例では、領域Ｅ（ｋ）がライブビュー画像１０４の下端から外れている。そのため、電子ブレ補正部１８は、ｙ軸方向の移動成分を０以上とし、下方向への移動を制限する。
【００４５】
ステップＳ１１５は、操作部１４が操作されることなく、一定時間が経過したか否かを判定する処理である。操作部１４が操作されることなく、一定時間が経過した場合（ステップＳ１１５の判定がＹＥＳとなる場合）には、フォーカス完了とみなし、ステップＳ１１６に進む。一方、一定時間が経過していない場合（ステップＳ１１５の判定がＮＯとなる場合）には、ステップＳ１０７に戻る。
【００４６】
ステップＳ１１６は、拡大表示を終了する処理である。表示部１２は、ライブビュー画像の拡大表示を終了する。このとき、表示部１２は、図５に示すように、ライブビュー画像１０５において、直前に取得したライブビュー画像１０４の領域Ｅ（ｋ）の位置にマークＭを重畳表示する。すなわち、最終的なフォーカスエリアの位置が、マニュアルフォーカスモード開始時とずれたことを報知する。これにより、ユーザに構図の確認を促すことができる。その後、所定のフレーム数（図５では、Ｎ）のライブビュー画像を取得すると、制御部１０は、ライブビュー画像１０６に示すように、フォーカスエリアを拡大表示前の位置に戻し、その位置にマークＭを表示する。そして、一連の処理を終了する。
【００４７】
なお、上記の処理の途中で、レリーズ釦２０が半押し及び全押しされた場合、撮像素子４は、本画像を取得する。また、上記の処理の途中で、十字キー２１を介して拡大表示倍率の変更を受け付けた場合、ステップＳ１０１に戻る。
【００４８】
撮像装置１と同様に、一般的なコンパクトタイプの撮像装置には、鏡筒にフォーカスリングは備わっておらず、筐体の上部や背面に備えられた十字キー２１などのマルチファンクションダイヤルがフォーカスリングを兼ねる。このマルチファンクションダイヤルは、回転時にクリック感があり手ブレを起こしやすい。また、拡大表示倍率が高い場合や焦点距離が長い場合、手ブレによって、表示部１２のライブビュー画像のブレが大きくなる。そのため、表示部１２の表示領域内に被写体を捉えるのが難しく、フォーカス状態の確認が困難になる。
【００４９】
しかし、本実施形態の撮像装置１は、光学ブレ補正部９により取り除けなかった手ブレを計算し、その残差を電子ブレ補正部１８により補正する。したがって、本実施形態の撮像装置１によれば、光学ブレ補正部９により取り除けなかった手ブレをなくすことができるため、拡大表示したライブビュー画像の視認性を改善することができる。また、光学ブレ補正は、一般的に消費電力が大きいが、本実施形態の撮像装置１は、電子ブレ補正部１８と併用して手ブレを補正することにより、消費電力を抑えることができる。
【００５０】
なお、上記の実施形態では、ブレ補正レンズ３を移動させることにより、光学ブレ補正を実行する例を示したが、撮像素子４を移動させても良い。
【００５１】
また、上記の実施形態では、マニュアルフォーカスモード時にライブビュー画像を拡大表示する例を示したが、フォーカス状態を確認したいシチュエーションであれば、これに限らない。例えば、自動で焦点調節を行うオートフォーカスモードにおいて、焦点調節を行った後、フォーカスエリアを中心にライブビュー画像を一定時間拡大表示する。また、オートフォーカスモードにおいて、レリーズ釦２０が半押しされると、フォーカスエリアを中心にライブビュー画像を一定時間拡大表示しても良い。その後、元の大きさのライブビュー画像を表示する。
【００５２】
また、上記の実施形態では、撮像条件に応じて、フィルタ２２の特性を変更する例を示したが、これに限らない。例えば、光学ブレ補正部９の補正能力が高い周波数だけをフィルタ２２に通過するようにしても良い。これにより、光学ブレ補正部９の補正能力が低い周波数を、電子ブレ補正部１８により補正するため、光学ブレ補正部９の消費電力を小さくすることができる。また、フィルタ２２のゲインを小さくすることにより、光学ブレ補正部９の消費電力を小さくしても良い。さらに、撮像条件だけでなく、本画像の記録解像度を加味して、フィルタ２２の特性を変更しても良い。
【００５３】
また、ユーザから十字キー２１を介して、光学ブレ補正部９に係る寄与率の設定を受け付けるようにしても良い。この場合、光学ブレ補正部９に係る寄与率がそれぞれ異なる複数のモード（例えば、省電力モード１、省電力モード２、省電力モード３など）を備える。そして、ユーザから十字キー２１を介して、いずれかのモードの設定を受け付けると、フィルタ２２は、受け付けたモードに応じて、光学ブレ補正部９に係る寄与率を設定しても良い。
【００５４】
また、上記の実施形態では、ライブビュー画像から外れている領域を黒色の領域に置き換えたが、置き換える領域の色は、黒色に限らない。
【００５５】
また、上記の実施形態では、光学ブレ補正部９と電子ブレ補正部１８とにより、手ブレを補正する例を示したが、これに限らない。例えば、フィルタ２２の出力ｗ’’（ｋ）＝０とすると、光学ブレ補正部９を持たない撮像装置にも対応できる。
【００５６】
また、上記の実施形態では、撮像装置１を例に挙げて説明したが、これに限らない。例えば、図１に示した以外の構成を有する撮像装置にも本発明を同様に適用することができる。また、一眼レフタイプの撮像装置や、ビデオカメラにも本発明を適用することができる。
【符号の説明】
【００５７】
１…撮像装置、４…撮像素子、８…角速度センサ、９…光学ブレ補正部、１０…制御部、１２…表示部、１８…電子ブレ補正部、２１…十字キー
【図１】
2011004121.tif 000006
【図２】
2011004121.tif 000007
【図３】
2011004121.tif 000008
【図４】
2011004121.tif 000009
【図５】
2011004121.tif 000010